(57)【特許請求の範囲】
【請求項１】
禁煙エリアに設置され、喫煙を検出するセンサと、前記禁煙エリア内において、識別情報が割り当てられた携帯物の位置情報を当該携帯物の識別情報とともに取得する位置情報取得部とにネットワークを介して接続されたマナー違反管理システムであって、
前記携帯物の識別情報と、当該携帯物の保持者の情報とを対応付けて記憶するユーザ情報記憶部と、
前記センサから喫煙の検出通知を受け付けるとともに、当該センサの位置情報を取得するマナー違反検出部と、
前記位置情報取得部から、前記禁煙エリア内における前記携帯物の位置情報および当該携帯物の識別情報を取得する識別情報取得部と、
前記マナー違反検出部が喫煙の検出通知を受け付けた前記センサの位置情報および前記識別情報取得部が取得した前記携帯物の位置情報を照合するとともに、前記ユーザ情報記憶部に記憶された前記携帯物の識別情報および当該携帯物の保持者の情報との対応関係に基づき、マナー違反を行った前記保持者を特定する違反者特定部と、
前記違反者特定部が特定した前記保持者に関する違反情報を記憶する違反情報記憶部と、
を含むマナー違反管理システム。
【請求項２】
請求項１に記載のマナー違反管理システムにおいて、
当該センサ近傍の画像を取得するカメラからネットワークを介して前記センサが喫煙を検出した際の当該センサ近傍の画像を取得する画像取得部をさらに含み、
前記違反情報記憶部が記憶する前記違反情報は、前記画像取得部が取得した前記画像を含むマナー違反管理システム。
【請求項３】
請求項１または２に記載のマナー違反管理システムにおいて、
前記携帯物は、携帯電話端末であるマナー違反管理システム。
【請求項４】
請求項３に記載のマナー違反管理システムにおいて、
前記ユーザ情報記憶部は、前記携帯電話端末の識別情報に対応付けて当該携帯電話端末のメールアドレスを記憶し、
前記マナー違反管理システムは、前記携帯電話端末に注意メールを送信する送信部をさらに含むマナー違反管理システム。
【請求項５】
請求項１から４いずれかに記載のマナー違反管理システムにおいて、
前記違反情報記憶部に記憶された前記違反情報を所定の端末に送信する違反情報送信部をさらに含むマナー違反管理システム。
【発明の詳細な説明】
【技術分野】
【０００１】
本発明は、マナー違反管理システムに関する。
【背景技術】
【０００２】
近年、社会で禁煙ムードが高まっており、路上での禁煙区域が設定され、違反者を取り締まるようにしている地域もある。従来、違反者の取り締まりは、警察官や自治体の監視委員が禁煙区域での路上喫煙者を見つけると、注意または罰金の督促をすることにより行われている。しかし、このような人による取り締まり方法だけでは充分でなかった。また、禁止区域での喫煙に周囲の人が気がついても、なかなか注意できず、見過ごす状態であった。そのため、いまだに禁煙区域での路上喫煙者が多く見受けられる。
【０００３】
特許文献１には、公共場所の複数場所でその利用者が守るべき公共のマナーに対しそのマナー違反の有無を検出するマナー違反検出手段と、公共場所の複数場所の映像を撮像する撮像手段と、マナー違反検出手段により利用者によるマナー違反が検出されたときに撮像手段により撮像される複数場所の映像のうちの利用者によるマナー違反が行われている場所の映像を公共場所の係員が認知可能に表示させる制御させる制御手段とを含む公共場所のマナー違反検出システムが開示されている。
【０００４】
特許文献１に記載の技術では、たとえば鉄道の駅構内等で、鉄道利用客が喫煙コーナー以外の場所でたばこを吸ったりしたときにセンサがたばこの煙を検知した場合、その場所に最も近い場所のカメラを選択し、そのカメラで得られる映像をＰＣディスプレイ上に表示するようになっている。これにより、駅員が、駅構内の所定場所でマナー違反である喫煙を起こっている鉄道利用客がいることがわかり、その利用客に直ちに注意を促すことが可能となる、とされている。
【０００５】
また、特許文献２には、遠隔地の映像情報を求める会員に、遠隔地の現在の映像情報を提供するサービスの提供を行う技術が開示されている。
【特許文献１】特開２００２−２３２８７１号公報
【特許文献２】特開２００４−３２８３１０号公報
【発明の開示】
【発明が解決しようとする課題】
【０００６】
しかし、特許文献１に記載の方法を用いても、最終的にはマナー違反者に駅員が注意する必要があるため、従来と同様、取り締まりを充分に行うことは困難である。たとえば、カメラで得られた映像がＰＣディスプレイ上に表示されても、駅員がいなかったり、他の仕事で手を離せないような場合は、マナー違反者に注意を促すことができない。
【０００７】
本発明は上記事情に鑑みてなされたものであり、その目的とするところは、禁煙エリアで喫煙しているマナー違反者を特定して、マナー違反者に確実に注意等を行い、喫煙マナーの向上をはかることにある。
【課題を解決するための手段】
【０００８】
本発明によれば、
禁煙エリアに設置され、喫煙を検出するセンサと、前記禁煙エリア内において、識別情報が割り当てられた携帯物の位置情報を当該携帯物の識別情報とともに取得する位置情報取得部とにネットワークを介して接続されたマナー違反管理システムであって、
前記携帯物の識別情報と、当該携帯物の保持者の情報とを対応付けて記憶するユーザ情報記憶部と、
前記センサから喫煙の検出通知を受け付けるとともに、当該センサの位置情報を取得するマナー違反検出部と、
前記位置情報取得部から、前記禁煙エリア内における前記携帯物の位置情報および当該携帯物の識別情報を取得する識別情報取得部と、
前記マナー違反検出部が喫煙の検出通知を受け付けた前記センサの位置情報および前記識別情報取得部が取得した前記携帯物の位置情報を照合するとともに、前記ユーザ情報記憶部に記憶された前記携帯物の識別情報および当該携帯物の保持者の情報との対応関係に基づき、マナー違反を行った前記保持者を特定する違反者特定部と、
前記違反者特定部が特定した前記保持者に関する違反情報を記憶する違反情報記憶部と、
を含むマナー違反管理システムが提供される。
【０００９】
このようにすれば、喫煙禁止区域等の禁煙エリアでの喫煙をセンサが感知し、喫煙を感知したセンサの位置情報と携帯物の保持者の位置情報とを照合するとともに携帯物の識別情報に基づいてマナー違反者を特定することができる。これにより、マナー違反者の情報をデータベース化することができる。これにより、マナー違反者を把握することができ、悪質な場合には注意勧告等を行うことができる。
【００１０】
本発明のマナー違反管理システムは、前記違反情報記憶部に記憶された前記違反情報を所定の端末に送信する違反情報送信部をさらに含むことができる。
【００１１】
ここで、所定の端末は、たとえば自治体や警察署等の監督部門により管理されるものとすることができる。これにより、監督部門が注意勧告（場合によっては罰金督促）を実施することができ、喫煙マナー向上を実現することができる。
【００１２】
本発明のマナー違反管理システムは、当該センサ近傍の画像を取得するカメラから、前記センサが喫煙を検出した際の当該センサ近傍の画像を取得する画像取得部をさらに含むことができ、前記違反情報記憶部が記憶する前記違反情報は、前記画像取得部が取得した前記画像を含むことができる。
【００１３】
これにより、喫煙時の状況が映像として記憶されるので、その映像を証拠として用いたり、喫煙の有無の判断材料に用いたりすることができる。
【００１４】
本発明のマナー違反管理システムにおいて、前記携帯物は、携帯電話端末とすることができる。また、本発明のマナー違反管理システムにおいて、前記ユーザ情報記憶部は、前記携帯電話端末の識別情報に対応付けて当該携帯電話端末のメールアドレスを記憶することができ、前記マナー違反管理システムは、前記携帯電話端末に注意メールを送信する送信部をさらに含むことができる。
【００１５】
これにより、禁煙エリアで喫煙を行っているマナー違反者に略リアルタイムで注意を行うことができる。
【００１６】
なお、以上の構成要素の任意の組合せ、本発明の表現を方法、装置、システム、記録媒体、コンピュータプログラムなどの間で変換したものもまた、本発明の態様として有効である。
【発明の効果】
【００１７】
本発明によれば、禁煙エリアで喫煙しているマナー違反者を特定して、マナー違反者に確実に注意等を行い、喫煙マナーの向上をはかることができる。
【発明を実施するための最良の形態】
【００１８】
以下、本発明の実施の形態について、図面を用いて説明する。尚、すべての図面において、同様な構成要素には同様の符号を付し、適宜説明を省略する。
【００１９】
図１は、本実施の形態におけるマナー違反管理システム１０を含むネットワーク構成を示すブロック図である。マナー違反管理システム１０は、管理サーバ１００および位置情報サーバ１５０により構成される。管理サーバ１００と位置情報サーバ１５０とは、別々のサーバにより構成されてネットワークを介して接続されてもよく、一つのサーバ内に設けられた構成とすることもできる。
【００２０】
本実施の形態において、禁煙エリアには、喫煙を感知・検出するセンサ３０２が設置される。センサ３０２は、たとえば煙センサ等とすることができる。禁煙エリアには、そのエリア全体で喫煙を検出できるように、エリアの大きさに応じて複数のセンサ３０２が設けられる。管理サーバ１００は、センサ３０２とネットワークを介して接続される。禁煙エリアで喫煙している喫煙者２００がいると、センサ３０２が喫煙を検出し、喫煙の検出通知を管理サーバ１００に送信する。なお、センサ３０２は、喫煙を検知すると、自己の位置情報とともに、喫煙の検出通知を管理サーバ１００に送信することができる。また、他の例として、センサ３０２は、喫煙を検知すると、自己の識別情報とともに、喫煙の検出通知を管理サーバ１００に送信することができる。この場合、管理サーバ１００はセンサ３０２の識別情報と位置情報とを対応付けて記憶する記憶部を有しており、センサ３０２から送信される識別情報に基づき、当該センサ３０２の位置情報を取得することができる。これにより、管理サーバ１００において、禁煙エリアで喫煙をしているマナー違反者がいること、およびその位置を把握することができる。
【００２１】
また、センサ３０２近傍には、携帯電話端末２１０等の携帯電話端末の位置情報を携帯電話端末の識別情報とともに取得する位置情報取得部４００が設けられる。位置情報取得部４００が携帯電話端末２１０の位置情報を取得する手法はとくに限定されず、種々の方向で携帯電話端末２１０の位置情報を取得することができる。位置情報取得部４００は、たとえばＧＰＳ等の位置取得技術を用いて携帯電話端末２１０の位置情報を取得することができる。また、位置情報取得部４００は、たとえば複数のロケーションレシーバにより構成することができ、複数のロケーションレシーバと携帯電話端末２１０との相対位置情報に基づき、携帯電話端末２１０の位置情報を取得することができる。位置情報取得部４００は、取得した携帯電話端末２１０の位置情報および識別情報を、無線ＬＡＮ４０２経由で位置情報サーバ１５０に送信する。
【００２２】
詳細には後述するが、位置情報サーバ１５０は、携帯電話端末の識別情報と、その携帯電話端末の保持者の情報とを対応付けて記憶するユーザ情報記憶部を有する。携帯電話端末の識別情報は、たとえば、携帯電話端末の電話番号とすることができる。保持者の情報は、たとえば、保持者の氏名や保持者を識別する識別情報等とすることができる。位置情報サーバ１５０は、位置情報取得部４００から送信される携帯電話端末の識別情報に基づき、その保持者の情報を取得し、保持者の情報を位置情報とともに管理サーバ１００に送信する。
【００２３】
管理サーバ１００において、センサ３０２からの喫煙の検出通知およびセンサ３０２の位置情報、ならびに位置情報サーバ１５０からの保持者の情報および位置情報に基づき、マナー違反者を特定することができる。
【００２４】
さらに、センサ３０２近傍には、監視カメラ３０４が設置される。監視カメラ３０４は、センサ３０２とともに設けられてもよいが、センサ３０２近傍の画像を取得できれば、センサ３０２から離れた場所に設けられていてもよい。監視カメラ３０４は、各センサ３０２それぞれに１つずつ設けられてもよいが、複数のセンサ３０２に対して１つ設けられた構成とすることもできる。このような配置により、監視カメラ３０４は、禁煙エリアで喫煙しているマナー違反者の映像を撮像、撮影する。監視カメラ３０４は、撮影したマナー違反者の映像をネットワークを介して管理サーバ１００に送信する。
【００２５】
管理サーバ１００は、マナー違反者を特定すると、そのマナー違反者の保持者の情報と監視カメラ３０４からの喫煙者の映像とを統合し、違反者に関する違反情報として記憶する。これにより、マナー違反者に関する違反情報がデータベース化される。このようなデータベースを加工することにより、常習者リスト、注意勧告書類、罰金支払依頼書等の作成を行うことができる。
【００２６】
また、管理サーバ１００は、予め登録されたクライアント端末（クライアントＣＬ１・・・クライアントＣＬｎ）に、マナー違反者に関する情報を電子メール等により送信することもできる。クライアント端末は、マナー違反者を取り締まる監督者の端末とすることができる。これにより、監督者が、路上等の禁煙エリアで喫煙しているマナー違反者へ注意勧告や罰金の督促を実施することができる。
【００２７】
さらに、管理サーバ１００は、喫煙者の携帯電話端末２１０に注意メールを送信することもできる。これにより、略リアルタイムで喫煙者に注意を行うことができ、禁煙エリアでの喫煙をやめさせることができる。
【００２８】
以上のように、本実施の形態において、管理サーバ１００が種々の情報を分析し、喫煙者を特定するため、オンラインによる路上喫煙者への監視・取り締まりを行うことができる。
【００２９】
図２は、本実施の形態におけるマナー違反管理システム１０の構成を示すブロック図である。
ここでは、管理サーバ１００と位置情報サーバ１５０とが一つのサーバ内に設けられた構成を示す。マナー違反管理システム１０は、通信制御部１０２、マナー違反検出部１０４、画像取得部１０６、識別情報取得部１０８、違反者特定部１１０、違反情報生成部１１２、違反情報送信部１１４、ユーザ情報記憶部１１６、および違反情報記憶部１１８を含む。センサ３０２および監視カメラ３０４は、路上システム３００として構成される。
【００３０】
図２に示したマナー違反管理システム１０の各構成要素は、ハードウエア単位の構成ではなく、機能単位のブロックを示している。マナー違反管理システム１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００３１】
マナー違反管理システム１０は、ネットワーク５００を介して、路上システム３００、位置情報取得部４００、クライアント端末ＣＬ、携帯電話端末２１０等とデータの送受信を行う。ここで、ネットワーク５００は、無線ＬＡＮ４０２（図１参照）その他の種々のネットワークを統合して示す。たとえば、マナー違反管理システム１０は、インターネット等のネットワークを介してクライアント端末ＣＬと通信することができ、携帯電話網を介して携帯電話端末２１０と通信することができる。通信制御部１０２は、ネットワーク５００を介した他の端末との通信を制御する。
【００３２】
ユーザ情報記憶部１１６は、携帯電話端末２１０の識別情報と、当該携帯電話端末２１０の保持者の情報とを対応付けて記憶する。携帯電話端末２１０の識別情報は、たとえば電話番号とすることができる。保持者の情報は、たとえば、氏名や保持者を識別する識別番号等とすることができる。また、ユーザ情報記憶部１１６は、保持者が喫煙者か否かの情報や、保持者の年齢、性別等の情報を含んでもよい。
【００３３】
本実施の形態において、マナー違反検出部１０４は、センサ３０２から、喫煙の検出通知を当該センサ３０２の位置情報とともに受け付ける。識別情報取得部１０８は、位置情報取得部４００から、禁煙エリア内における携帯電話端末２１０の位置情報および当該携帯電話端末２１０の識別情報を取得する。識別情報取得部１０８は、ユーザ情報記憶部１１６を参照して、位置情報取得部４００から取得した携帯電話端末２１０の識別情報に対応する保持者の情報を取得する。識別情報取得部１０８は、携帯電話端末２１０の位置情報と、当該携帯電話端末２１０の保持者の情報とを対応付けて違反者特定部１１０に通知する。
【００３４】
違反者特定部１１０は、マナー違反検出部１０４がマナー違反を検出すると、マナー違反検出部１０４が取得したセンサ３０２の位置情報と、識別情報取得部１０８が取得した携帯電話端末２１０の位置情報とに基づき、マナー違反者を検出・特定する。
【００３５】
他の例として、識別情報取得部１０８は、携帯電話端末２１０の位置情報と当該携帯電話端末２１０の識別情報とを対応付けて違反者特定部１１０に通知することもできる。この場合、違反者特定部１１０は、マナー違反検出部１０４がマナー違反を検出すると、マナー違反検出部１０４が取得したセンサ３０２の位置情報と、識別情報取得部１０８が取得した携帯電話端末２１０の位置情報とに基づき、マナー違反者の携帯電話端末２１０の識別情報を検出する。つづいて、違反者特定部１１０は、ユーザ情報記憶部１１６を参照して、マナー違反者の携帯電話端末２１０の識別情報に対応する保持者の情報を取得して、マナー違反者を特定する。
【００３６】
画像取得部１０６は、センサ３０２近傍の画像を取得する監視カメラ３０４から、センサ３０２が喫煙を検出した際の当該センサ３０２近傍の画像を取得する。違反情報生成部１１２は、違反者特定部１１０が特定したマナー違反者の情報と、画像とを対応付けて違反者に関する情報を生成する。違反情報生成部１１２は、生成した違反者に関する情報を違反情報記憶部１１８に記憶する。違反情報送信部１１４は、予め設定されたクライアント端末ＣＬ等の端末に、違反者に関する情報を送信する。
【００３７】
また、一例として、ユーザ情報記憶部１１６は、携帯電話端末２１０の識別情報に対応付けて、当該携帯電話端末２１０のメールアドレスを記憶することができる。この場合、違反情報送信部１１４は、マナー違反者と特定された保持者の携帯電話端末２１０に、注意を促す注意メールを送信してもよい。これにより、禁煙エリアで喫煙を行っているマナー違反者に略リアルタイムで注意を行うことができる。
【００３８】
なお、違反者特定部１１０がマナー違反者を特定する際に、以下の手順を行うこともできる。一例として、たとえばユーザ情報記憶部１１６に、保持者が喫煙者か否か等の情報が記憶されている場合、違反者特定部１１０は、ユーザ情報記憶部１１６を参照して、保持者が喫煙者か否かに応じて、マナー違反者を特定してもよい。また、他の例として、違反者特定部１１０は、違反情報記憶部１１８を参照して、保持者が過去にマナー違反者として記憶されているか否かを考慮して、マナー違反者を特定してもよい。たとえば、あるセンサ３０２が喫煙を検出した場合に、そのセンサ３０２付近に携帯電話端末２１０を保持した人が複数人いるような場合、どの保持者が喫煙者なのかを判断するのが困難なことがある。このような場合に、保持者が喫煙者なのか否か、またはマナー違反を行う確率が高い人なのか否かに基づき、喫煙者を特定することにより、精度よくマナー違反者を特定することができる。
【００３９】
図３は、本実施の形態におけるマナー違反管理システム１０の処理手順の一例を示すフローチャートである。
識別情報取得部１０８は、位置情報取得部４００から、禁煙エリア内を通過する携帯電話端末２１０の識別情報をその位置情報とともに取得している（Ｓ１００）。識別情報取得部１０８は、ユーザ情報記憶部１１６を参照し、位置情報取得部４００から取得した携帯電話端末２１０の識別情報に対応する保持者の情報を取得する（Ｓ１０２）。いずれかのセンサ３０２から喫煙の検出通知があり、マナー違反検出部１０４がマナー違反を検出すると（Ｓ１０４のＹＥＳ）、違反者特定部１１０は、識別情報取得部１０８が取得した携帯電話端末２１０の位置情報と喫煙の検出通知を行ったセンサ３０２の位置情報とに基づき、マナー違反者を特定する（Ｓ１０６）。画像取得部１０６は、監視カメラ３０４からマナー違反者の画像データを取得する（Ｓ１０８）。違反情報生成部１１２は、違反者特定部１１０により特定されたマナー違反者の情報と画像取得部１０６が取得した画像データとを対応付けて違反情報を生成する（Ｓ１１０）。違反情報生成部１１２は、生成した違反情報を違反情報記憶部１１８に記憶してデータベース化する。また、違反情報送信部１１４は、違反情報を所定のクライアント端末ＣＬに送信する（Ｓ１１２）。
【００４０】
図４は、本実施の形態におけるマナー違反管理システム１０の処理手順の他の例を示すフローチャートである。
識別情報取得部１０８は、位置情報取得部４００から、禁煙エリア内を通過する携帯電話端末２１０の識別情報をその位置情報とともに取得している（Ｓ２００）。いずれかのセンサ３０２から喫煙の検出通知があり、マナー違反検出部１０４がマナー違反を検出すると（Ｓ２０２のＹＥＳ）、違反者特定部１１０は、識別情報取得部１０８が取得した携帯電話端末２１０の位置情報と喫煙の検出通知を行ったセンサ３０２の位置情報とに基づき、マナー違反者の携帯電話端末２１０の識別情報を特定する（Ｓ２０４）。違反者特定部１１０は、ユーザ情報記憶部１１６を参照し、マナー違反者の携帯電話端末２１０の識別情報に対応する保持者の情報を取得し、保持者を特定する（Ｓ２０６）。画像取得部１０６は、監視カメラ３０４からマナー違反者の画像データを取得する（Ｓ２０８）。違反情報生成部１１２は、違反者特定部１１０により特定されたマナー違反者の情報と画像取得部１０６が取得した画像データとを対応付けて違反情報を生成する（Ｓ２１０）。違反情報生成部１１２は、生成した違反情報を違反情報記憶部１１８に記憶してデータベース化する。また、違反情報送信部１１４は、違反情報を所定のクライアント端末ＣＬに送信する（Ｓ２１２）。
【００４１】
以上のように、本実施の形態におけるマナー違反管理システム１０によれば、喫煙を検出するセンサ／携帯電話端末２１０の位置情報サービス／監視カメラ／を連携させることにより、喫煙禁止区域等の禁煙エリアでの喫煙をセンサが感知し、位置情報サービスと携帯電話端末利用者情報により喫煙者を特定し、喫煙者の映像を取得することができる。これらの情報が監督部門（自治体・警察署等）に送付され、監督部門が注意勧告（場合によっては罰金督促）を実施することにより、喫煙マナー向上を実現することができる。
【００４２】
このように、本実施の形態におけるマナー違反管理システム１０によれば、それぞれの情報を分析し、マナー違反者を特定するため、オンラインによる路上喫煙者への監視・取り締まりを行うことができる。これにより、監視作業の効率化を図ることが可能となる。そのため、今まで自治体、警察署等が充分監視しきれていなかった路上喫煙禁止区域等の禁煙エリアでの喫煙を日々管理することができるので、禁煙エリアでの喫煙を低減することができる。これにより、たとえば路上喫煙者を減少させることができ、美しいまちづくり、地球にやさしい環境づくりに貢献することができる。また、過去のマナー違反者をデータベース化することにより、マナー違反常習者リスト等を作成可能となるほか、データベースの情報を他自治体（他管轄の警察署）間で共有することもでき、たとえば路上喫煙者の減少に貢献することができる。
【００４３】
以上、図面を参照して本発明の実施形態について述べたが、これらは本発明の例示であり、上記以外の様々な構成を採用することもできる。
【００４４】
以上の実施の形態では、位置情報取得部４００が携帯電話端末の識別情報および位置情報を取得する例を説明したが、位置情報取得部４００は、携帯電話端末に限らず、たとえばＲＦＩＤ（Radio Frequency Identification）等の無線ＩＣタグの識別情報および位置情報を取得することができる。この場合、マナー違反管理システム１０のユーザ情報記憶部１１６は、無線ＩＣタグの識別情報と、その保持者の情報とを対応付けて記憶する。このような無線ＩＣタグを用いたシステムとして、たとえば２．４５ＧＨｚ帯アクティブタグを用いるWi-Fi Location Systemを用いることもできる。
【図面の簡単な説明】
【００４５】
【図１】本発明の実施の形態におけるマナー違反管理システムを含むネットワーク構成を示すブロック図である。
【図２】本発明の実施の形態におけるマナー違反管理システムの構成を示すブロック図である。
【図３】本発明の実施の形態におけるマナー違反管理システムの処理手順の一例を示すフローチャートである。
【図４】本発明の実施の形態におけるマナー違反管理システムの処理手順の他の例を示すフローチャートである。
【符号の説明】
【００４６】
１０ マナー違反管理システム
１００ 管理サーバ
１０２ 通信制御部
１０４ マナー違反検出部
１０６ 画像取得部
１０８ 識別情報取得部
１１０ 違反者特定部
１１２ 違反情報生成部
１１４ 違反情報送信部
１１６ ユーザ情報記憶部
１１８ 違反情報記憶部
１５０ 位置情報サーバ
２００ 喫煙者
２１０ 携帯電話端末
３００ 路上システム
３０２ センサ
３０４ 監視カメラ
４００ 位置情報取得部
４０２ 無線ＬＡＮ
５００ ネットワーク
【図１】
0004665814.tif 000002
【図２】
0004665814.tif 000003
【図３】
0004665814.tif 000004
【図４】
0004665814.tif 000005